(57)【要約】【課題】  ＢＤ規格とＨＤ-ＤＶＤ規格の両方に対応しかつＤＶＤ媒体およびＣＤ媒体にも対応可能なマルチ型光ディスク装置を提供する。【解決手段】  第１の対物レンズ１０１は第１の対物レンズＡＣＴ２０１に取付けられてＢＤ／ＤＶＤ媒体を、第２の対物レンズ１０２は第２の対物レンズＡＣＴ２０５に取付けられてＨＤ-ＤＶＤ／ＣＤ媒体を記録再生するために用いられる。上記２０１全体を上下方向（Ｚ方向）に平行移動させる昇降機構２０２、上記２０１と上記２０５の全体を情報記録媒体の接線方向（Ｘ方向）に平行移動させる移動機構１１５を光ヘッドのキャリッジケース１１３に設ける。スピンドルモータ１２１をＸ方向に平行移動可能な移動機構１２５をメカシャーシ１２０に設ける。【選択図】  図１
2006196053.tif 000002
【特許請求の範囲】
【請求項１】
キャリッジケースにレーザ光源と、コリメートレンズと、対物レンズと、光検出器と、前記対物レンズを微小駆動させるアクチュエータ等を配置した光学ヘッドと、ディスク媒体を装着し回転させるスピンドルモータと、前記光学ヘッドを支持して前記ディスク媒体の半径方向に移動させる光学ヘッドアクセス機構と、前記光学ヘッドアクセス機構と前記スピンドルモータを取付けるメカシャーシと、前記ディスク媒体を前記スピンドルモータに搬送するローディング機構と、これらを制御するための回路基板を備えた情報処理装置において、
第１の対物レンズを搭載する第１のアクチュエータと第２の対物レンズを搭載する第２のアクチュエータを前記ディスク媒体の接線方向に配置し、これらのアクチュエータ全体を前記ディスク媒体の接線方向に平行移動可能とするとともに、前記スピンドルモータを前記ディスク媒体の接線方向に平行移動可能としたことを特徴とする情報処理装置。
【請求項２】
請求項１において、前記第１の対物レンズと前記第２の対物レンズは、少なくとも波長が同じで、開口数とディスク媒体の基板厚さが互いに異なる光学特性を持たせたことを特徴とする情報処理装置。
【請求項３】
請求項１において、前記第１のアクチュエータまたは前記第２のアクチュエータを全体に前記ディスク媒体の上下方向に平行移動可能としたことを特徴とする情報処理装置。
【請求項４】
請求項１において、第１のアクチュエータと第２のアクチュエータを前記ディスク媒体の接線方向に平行移動させ、使用する対物レンズを前記第１の対物レンズと前記第２の対物レンズのいずれかに切り替えることを特徴とする情報処理装置。
【請求項５】
請求項４において、前記スピンドルモータを前記ディスク媒体の接線方向に平行移動させ、前記スピンドルモータの回転中心を通り前記光学ヘッドアクセス機構の走行方向に平行な軸線上に前記第１の対物レンズあるいは前記第２の対物レンズの中心が来るように調整可能としたことを特徴とする情報処理装置。
【請求項６】
請求項１において、前記スピンドルモータを前記ディスク媒体の接線方向に平行移動させ、対物レンズを前記第１の対物レンズと前記第２の対物レンズのいずれかに切り替えることを特徴とする情報処理装置。
【請求項７】
請求項６において、前記第１のアクチュエータと第２のアクチュエータ全体を前記ディスク媒体の接線方向に平行移動させ、前記スピンドルモータの回転中心を通り前記光学ヘッドアクセス機構の走行方向に平行な軸線上に前記第１の対物レンズあるいは前記第２の対物レンズの中心が来るように調整可能としたことを特徴とする情報処理装置。
【請求項８】
請求項１において、基板厚さがt1である第１のディスク媒体と基板厚さがt2（＞t1）である第２のディスク媒体に対し波長λ1の光を出射する第１のレーザ光源と、基板厚さがt3（＝t2）である第３のディスク媒体に対し波長λ2（＞λ1）の光を出射する第２のレーザ光源と、基板厚さがt4（＞t3）である第４のディスク媒体に対し波長λ3（＞λ2）の光を出射する第３のレーザ光源を備え、前記第１の対物レンズを波長λ1と基板厚さt1、波長λ2と基板厚さt3に対応する対物レンズとし、前記第２の対物レンズを波長λ1と基板厚さt2に対応する対物レンズとして、さらにこの第２の対物レンズの下に開口制限素子と回折素子を配置して波長λ3と基板厚さt4に対応させたことを特徴とする情報処理装置。
【請求項９】
請求項１において、基板厚さがt1である第１のディスク媒体と基板厚さがt2（＞t1）である第２のディスク媒体に対し波長λ1の光を出射する第１のレーザ光源と、基板厚さがt3（＝t2）である第３のディスク媒体に対し波長λ2（＞λ1）の光を出射する第２のレーザ光源と、基板厚さがt4（＞t3）である第４のディスク媒体に対し波長λ3（＞λ2）の光を出射する第３のレーザ光源を備え、前記第１の対物レンズを波長λ1と基板厚さt1に対応する対物レンズとし、前記第２の対物レンズを波長λ1と基板厚さt2、波長λ2と基板厚さt3に対応する対物レンズとして、
さらにこの第２の対物レンズの下に開口制限素子と回折素子を配置して波長λ3と基板厚さt4に対応させたことを特徴とする情報処理装置。
【請求項１０】
請求項３及び８において、前記ディスク媒体が前記スピンドルモータに装着されていない状態、あるいは前記第２と前記第４のディスク媒体のいずれかが前記スピンドルモータに装着された場合には、前記第１のアクチュエータ全体が下方に平行移動して前記第１の対物レンズが前記第２の対物レンズより下方に位置しており、前記第１と前記第３のディスク媒体のいずれかが前記スピンドルモータに装着された場合には、前記第１のアクチュエータ全体が上方に平行移動して前記第１の対物レンズが前記第２の対物レンズより上方に位置していることを特徴とする情報処理装置。
【請求項１１】
請求項３及び９において、前記ディスク媒体が前記スピンドルモータに装着されていない状態、あるいは前記第２と前記第３と前記第４のディスク媒体のいずれかが前記スピンドルモータに装着された場合には、前記第１のアクチュエータ全体が下方に平行移動して前記第１の対物レンズが前記第２の対物レンズより下方に位置しており、前記第１のディスク媒体が前記スピンドルモータに装着された場合には、前記第１のアクチュエータ全体が上方に平行移動して前記第１の対物レンズが前記第２の対物レンズより上方に位置していることを特徴とする情報処理装置。
【請求項１２】
請求項１において、基板厚さがt1である第１のディスク媒体に対し波長λ1の光を出射する第１のレーザ光源と、基板厚さがt2（＞t1）である第２のディスク媒体に対し波長λ2（＞λ1）の光を出射する第２のレーザ光源と、基板厚さがt3（＞t2）である第３のディスク媒体に対し波長λ3（＞λ2）の光を出射する第３のレーザ光源を備え、前記第１の対物レンズは波長λ1と基板厚さt1に対応する対物レンズとし、前記第２の対物レンズは波長λ2と基板厚さt2、波長λ3と基板厚さt3の両方に対応する対物レンズとしたことを特徴とする情報処理装置。
【発明の詳細な説明】
【技術分野】
【０００１】
本発明は、ディスク媒体を用いた情報処理装置に関する。
【背景技術】
【０００２】
レーザ波長４０５ｎｍ帯域の青紫色レーザを用いた高密度光ディスクの規格として、以下の（１）、（２）に示す２つの規格が提案されている。
（１）開口数（ＮＡ）０.８５の高ＮＡ対物レンズとディスク基板厚さ０.１ｍｍのディスク媒体を用いたＢＤ（Blu-ray Disc）規格。
（２）開口数０.６５の対物レンズとディスク基板厚さ０.６ｍｍのディスク媒体を用いたＨＤ-ＤＶＤ規格。
【０００３】
上記（１）のＢＤ規格は記録容量が大きくとれる、上記（２）のＨＤ-ＤＶＤ規格はディスク媒体の製造コストが安く、ＲＯＭ媒体として適していると言われている。現在のところ、上記（１）のＢＤ規格を採用し、ＤＶＤ/ＣＤ用光ヘッドを別に設けることによりＤＶＤ、ＣＤ媒体にも対応可能な光ディスク装置がＡＶ用レコーダとして製品化されている。
【０００４】
上記ＢＤ規格、ＨＤ-ＤＶＤ規格を用いたディスク媒体がそれぞれ将来的に普及した場合、上記ＢＤ規格と上記ＨＤ-ＤＶＤ規格の両方に対応し、かつＤＶＤ媒体およびＣＤ媒体にも対応可能なマルチ型光ディスク装置に対する要求が高まることが予想される。このような型の装置を想定すると、搭載される光ヘッドとしては共通の対物レンズを用いてＢＤとＨＤ-ＤＶＤの両方の媒体、さらにＤＶＤ、ＣＤ媒体の記録再生に対応できるのが最も望ましい。しかし、これを可能とする対物レンズは今のところ存在せず、ＢＤ用、ＨＤ-ＤＶＤ用にそれぞれ最適化された対物レンズを別々に設けるとともにＤＶＤ、ＣＤ媒体に対する互換機能を持たせることが必要となる。
【０００５】
現在開示されている技術として、例えば、以下（ａ）、（ｂ）に示す技術がある。(ａ) ＢＤ／ＤＶＤ／ＣＤ媒体の各媒体に対し共通の対物レンズを用いて対応するため、対物レンズ入射面に格子溝を刻んだＢＤ、ＤＶＤ互換対物レンズと３波長選択性の開口制限素子を用い、ＢＤ、ＤＶＤ光学系の場合には平行光を、ＣＤ光学系の場合には発散光を上記互換対物レンズに入射させる構成の光ヘッド。（例えば、非特許文献１を参照）
(ｂ) ＤＶＤ媒体用、ＣＤ媒体用の２個の対物レンズを共通のレンズホルダに搭載し、このレンズホルダを４本のサスペンションワイヤで支持してフォーカス制御、トラッキング制御を行う対物レンズ駆動装置。（例えば、特許文献１、特許文献２を参照）
【非特許文献１】Ryuichi Katayama: Technical Digest of ISOM2003, paper Th-G-01(2003)
【特許文献１】特開２０００−２０９８７号公報（第１−５頁、図１、図２、図３）
【特許文献２】特開２００３−２８１７５８号公報（第１−１０頁、図２、図３、図４）
【発明の開示】
【発明が解決しようとする課題】
【０００６】
上記背景技術では以下の１、２に示す事項が問題点として挙げられる。  
１.光ヘッドを組込み光ディスクドライブの組立てを行う場合、機構系の寸法ばらつき等により、光ディスクの接線方向について光ヘッドの走行軸と対物レンズの中心の間にオフセットが発生することは避けられない。３ビームによるＤＰＰ法（現在、一般的に使われている）を用いてトラッキング制御を行う光ヘッドを想定すると、例えば、光ディスクの中周位置においてトラックに対する主ビーム、２つの副ビームの位置関係を適正に調整したとしても、光ディスクの最内周位置と最外周位置でトラックに対する主ビームと２つの副ビームの位置関係が適正状態からずれることになる。そのため、上記オフセット量が大きいと、トラッキング制御用のＤＰＰ信号に急激な振幅劣化等が生じてトラッキング追従精度が急激に劣化するという問題がある。そのため、特にトラックピッチがＤＶＤよりも狭いＢＤ、ＨＤ-ＤＶＤではトラッキング追従精度を安定させるためには上記オフセット量を吸収し極力０にする手段が必要となるが、上記開示例では考慮されていない。
【０００７】
２.現在のところ、ＢＤ用対物レンズ（開口数約０.８５）では作動距離（レンズ最終面から光ディスク下面までの間隔）ＷＤ１が約０.５ｍｍ、ＨＤ-ＤＶＤ用対物レンズ（開口数約０.６５）では作動距離ＷＤ２が約１.５ｍｍとなっている。上記ＷＤ１は現行のＤＶＤ／ＣＤドライブに使われている値約１.５ｍｍに比べてかなり小さい。なお、上記ＷＤ２は現行のＤＶＤ／ＣＤドライブにおける値と同等である。そのため、上記特許文献１記載の光ヘッドでは、以下に示す事項(Ａ)、（Ｂ）が問題となる。
【０００８】
（Ａ）現行のＤＶＤ／ＣＤドライブに使われているローディング機構を共通に用いることを想定した場合、光ディスクをスピンドルモータに装着する過程で光ディスクが上下方向に振れ回ることによってＢＤ用対物レンズと光ディスクが接触・衝突しＢＤ用対物レンズあるいは光ディスクに傷が生じる。あるいは、ＢＤ用対物レンズを支持するサスペンションワイヤが変形し対物レンズに傾きが発生するといった懸念が生じる。これを回避するためにはローディング機構、あるいは光ディスクを搭載し回転させるスピンドルモータの取付精度を現行のＤＶＤ／ＣＤドライブより高精度にしなければならず、光ディスクドライブのコストＵＰにつながる。
【０００９】
(Ｂ)上記ＢＤ用対物レンズを用い、光ディスクでは最も面振れ量の大きい（約±０.５ｍｍ）ＣＤ媒体に対応させる場合、作動距離は上記ＷＤ１より小さくなる。そのため、フォーカス制御が外れた瞬間に上記ＢＤ用対物レンズがＣＤ媒体と接触・衝突する危険性が高い。一方、上記ＨＤ−ＤＶＤ用対物レンズを用いてＣＤ媒体に対応させる場合、使用していない上記ＢＤ用対物レンズがＣＤ媒体と接触、衝突する危険性がある。いずれにしてもＣＤ媒体と対物レンズが接触、衝突する危険性は回避されない。
【００１０】
本発明は上記の点に鑑みなされたものであり、上記問題点を解消することにより、複数種類の媒体に対応した情報処理装置を提供する事を目的とする。
【課題を解決するための手段】
【００１１】
本発明の目的は、特許請求の範囲記載の発明により達成される。
【発明の効果】
【００１２】
本発明によれば、複数種類の記録媒体に対応する情報処理装置を提供できる。
【発明を実施するための最良の形態】
【００１３】
以下、本発明を実施するための最良の形態について実施例１ないし３に述べる。
【００１４】
本発明は、主に、ディスク状情報媒体にレーザ光を照射することにより情報の再生または記録を行う光ヘッドおよび光情報再生装置または光情報記録再生装置に関係するものである。特に、光学性能が異なる複数の対物レンズを搭載することによってＢＤ（Blu-ray Disc）、ＨＤ-ＤＶＤ、ＤＶＤ、ＣＤといったディスク基板厚さ、レーザ波長が異なる各種ディスク状情報記録媒体の記録再生に対応する光ヘッドおよびこの光ヘッドを用いた光情報再生装置または光情報記録再生装置に関係するものである。
【実施例１】
【００１５】
本発明の実施例１について図１から図８を用いて説明する。本実施例はＢＤ(Blu-ray DISC)、ＨＤ-ＤＶＤ、ＤＶＤ、ＣＤの媒体全てに対応可能な光ヘッドおよび光情報再生装置または光情報記録再生装置を示している。図１から図３は第１の対物レンズ１０１を用いてＢＤ(Blu-ray DISC)またはＤＶＤの記録再生を行う場合を示す。図１は上面から見た図、図２は側面から見た図、図３は第１の対物レンズ１０１について説明する図である。
【００１６】
まず、本実施例の機構部分について説明する。図１、図２において、第１の対物レンズ１０１は第１のレンズホルダ１０３に取り付けられ、第１の支持バネ１０５によって図のＹ方向、Z 方向に微動可能に懸架されている。この第１の支持バネ１０５は第１のバネホルダ１０６に取り付けられ、この第１のバネホルダ１０６はサブＡＣＴベース１０７に固定されている。第１のレンズホルダ１０３には（図示しない）第１のコイルアセンブリが取り付けられており、この第１のコイルアセンブリに所定の空隙を設けて（図示しない）第１の磁気回路が配置されている。この第１の磁気回路はサブＡＣＴベース１０７に固定されている。以上のように、第１の対物レンズ１０１、第１のレンズホルダ１０３、第１の支持バネ１０５、第１のバネホルダ１０６、サブＡＣＴベース１０７、（図示しない）コイルアセンブリ、（図示しない）磁気回路により第１の対物レンズＡＣＴ２０１が構成されている。さらに、サブＡＣＴベース１０７の下部には昇降機構２０２が設けられており、この昇降機構２０２はメインＡＣＴベース１０８と接続されている。この昇降機構２０２により第１の対物レンズＡＣＴ２０１は矢印２０３、矢印２０４で示すように全体としてＺ方向、すなわち、情報記録媒体２０６の面振れ方向へ平行移動可能となっている。
【００１７】
第２の対物レンズ１０２は第２のレンズホルダ１０９に取り付けられ、第２の支持バネ１１０によって図のＹ方向、Z 方向に微動可能に懸架されている。この第２の支持バネ１１０は第２のバネホルダ１１１に取り付けられ、この第２のバネホルダ１１１はメインＡＣＴベース１０８に固定されている。第２のレンズホルダ１０９には（図示しない）コイルアセンブリが取り付けられ、このコイルアセンブリに所定の空隙を設けて（図示しない）磁気回路が配置されている。この第２の磁気回路はメインＡＣＴベース１０８に固定されている。以上のように、第２の対物レンズ１０２、第２のレンズホルダ１０９、第２の支持バネ１１０、第２のバネホルダ１１１、メインＡＣＴベース１０８、（図示しない）第２のコイルアセンブリ、（図示しない）第２の磁気回路により第２の対物レンズＡＣＴ２０５が構成されている。メインＡＣＴベース１０８には図のＸ方向にわたって左右に長穴部１１２が設けられ、この長穴部１１２には、キャリッジケース１１３に設けたガイドピン１１４が挿入されている。メインＡＣＴベース１０８はその外側に設けられた移動機構１１５と接続され、キャリッジケース１１３のベース面１１６上で矢印１１７、矢印１１８に示す方向に平行移動可能となっている。すなわち、上記第１の対物レンズＡＣＴ２０１、第２の対物レンズＡＣＴ２０５が全体として図のＸ方向、すなわち情報記録媒体２０６の接線方向に平行移動可能となっている。
【００１８】
キャリッジケース１１３は左右両端をガイドバー１１９で支持され、ガイドバー１１９はメカシャーシ１２０に固定されている。さらに、キャリッジケース１１３は（図示しない）送り機構と接続されており、情報記録媒体２０６の半径方向（図のＹ方向）にアクセスする。１２１は情報記録媒体２０６を搭載し回転させるスピンドルモータを示しており、モータベース１２２に取り付けられている。
【００１９】
モータベース１２２は図のＸ方向にわたって左右に長穴部１２３が設けられ、この長穴部１２３には、メカシャーシ１２０に設けられたガイドピン１２４が挿入されている。モータベース１２２はその外側に設けられた移動機構１２５と接続され、メカシャーシ１２０上で矢印１２６、矢印１２７に示すＸ方向に平行移動可能となっている。すなわち、スピンドルモータ１２１は図のＸ方向、すなわち、情報記録媒体２０６の接線方向に位置調整が可能となっている。
【００２０】
次に、本実施例の光学系部分について説明する。ＢＤ光学系は以下のようになっている。１２８は波長λ１＝４０５ｎｍ帯の青紫色レーザを示しており、この青紫色レーザ１２８から直線偏光の発散光が出射され、回折格子１２９により主ビームと２つの副ビームに分岐されて合成プリズム１３０を透過する。上記直線偏光のＳ偏光成分は波長選択性偏光ビームスプリッタ１３１により反射され、９０度光路を曲げられる。一方、上記直線偏光のＰ偏光成分は波長選択性偏光ビームスプリッタ１３１を透過し、集光レンズ１３２により前方モニタ１３３に集光され、青紫色レーザ１２８の光量が検出される。上記Ｓ偏光成分は、その後、コリメートレンズ１３４によって平行光に変換され、凹レンズ１３５と凸レンズ１３６のペアからなるビームエキスパンダー素子を透過し、立上げミラー１３７により９０度光路を曲げられる。広帯域１/４波長板１３８を透過して円偏光に変換され、第１の対物レンズ１０１によって情報記録媒体２０６（この場合、基板厚さ０.１ｍｍのＢＤ媒体）の記録面上に集光されて光スポットが形成される。情報記録媒体２０６からの反射戻り光は、第１の対物レンズ１０１を通過し、広帯域１/４波長板１３８によりＰ偏光に変換され、立上げミラー１３７で反射して９０度光路を曲げられる。凸レンズ１３６、凹レンズ１３５、コリメートレンズ１３４、波長選択性偏光ビームスプリッタ１３１、波長選択性ハーフミラー１３９を透過した後、検出レンズ１４０によって受光素子（ＯＥＩＣ）１４１の光検出面上に集光される。上記受光素子１４１ではＲＦ信号、サーボ信号（ＦＥＳ信号、ＤＰＰ信号等）が検出される。また、上記ＲＦ信号、上記サーボ信号をもとに球面収差誤差信号が生成され、検出される。ここで、上記ビームエキスパンダー素子はＢＤ媒体の基板厚さ誤差、あるいはＢＤ媒体の２層記録媒体における層間ジャンプ時に１層目と２層目の基板厚さの差に伴って光スポットに発生する球面収差を打消す機能を持つ。上記情報記録媒体２０６がＢＤ媒体であると判別された場合、上記球面収差誤差信号が０となるように、例えば（図示しない）駆動機構によって凹レンズ１３５あるいは凸レンズ１３６を光軸に沿って平行移動させる。
【００２１】
ＤＶＤ光学系は以下のようになっている。１４２は波長λ２＝６６０ｎｍ帯の赤色レーザを示しており、この赤色レーザ１４２から直線偏光の発散光が出射され、回折格子１４３により主ビームと２つの副ビームに分岐されて合成プリズム１３０で反射する。上記直線偏光のＳ偏光は波長選択性偏光ビームスプリッタ１３１によって反射し、９０度光路を曲げられる。一方、上記直線偏光のＰ偏光は波長選択性偏光ビームスプリッタ１３１を透過し、集光レンズ１３２によって前方モニタ１３３に集光され、赤色レーザ１４２の光量が検出される。上記Ｓ偏光成分は、その後、コリメートレンズ１３４によって平行光に変換され、凹レンズ１３５と凸レンズ１３６のペアからなるビームエキスパンダー素子を透過し、立上げミラー１３７により９０度光路を曲げられる。広帯域１/４波長板１３８を透過して円偏光に変換され、第１の対物レンズ１０１によって情報記録媒体２０６（この場合、基板厚さ０.６ｍｍのＤＶＤ媒体）の情報記録面上に集光されて光スポットが形成される。情報記録媒体２０６からの反射戻り光は、第１の対物レンズ１０１を通過し、広帯域１/４波長板１３８によりＰ偏光に変換され、立上げミラー１３７で反射して９０度光路を曲げられる。凸レンズ１３６、凹レンズ１３５、コリメートレンズ１３４、波長選択性偏光ビームスプリッタ１３１、波長選択性ハーフミラー１３９を透過した後、検出レンズ１４０によって受光素子（ＯＥＩＣ）１４１の光検出面上に集光される。上記受光素子１４１ではＲＦ信号、サーボ信号（ＦＥＳ信号、ＤＰＰ信号等）が検出される。なお、上記ビームエキスパンダー素子を、ＤＶＤ媒体、特に２層式ＤＶＤ媒体を記録再生する際に機能させることも可能である。
【００２２】
ここで、第１の対物レンズ１０１について図３を用いて説明する。第１の対物レンズ１０１は波長λ１＝４０５ｎｍ帯の青紫色光に対して開口数が０.８５となるように設計され、レンズ屈折面３０１に同心円状に（図示しない）格子溝が形成されている。この格子溝は波長λ１の光に対しては回折作用が無いように設計され、同図（Ａ）に示すように、波長λ１の平行光３０２が第１の対物レンズ１０１に入射すると、基板厚さがｔ１（＝約０.１ｍｍ）のＢＤ基板３０３を通過後、収差が最良の状態で光スポット３０４が形成される。上記格子溝は波長λ２＝６６０ｎｍ帯の赤色光に対して回折作用を持ち、波長λ２において第１の対物レンズ１０１の開口数が実質的に約０.６５となる光束径の範囲に形成されている。同図（Ｂ）に示すように波長λ２の平行光３０５が第１の対物レンズ１０１に入射すると、基板厚さがt２（＝約０.６ｍｍ）のＤＶＤ基板３０６を通過後、収差が最良の状態で光スポット３０７が形成される。
【００２３】
図４から図６は第２の対物レンズ１０２を用いてＣＤまたはＨＤ-ＤＶＤの記録再生を行う場合を示している。図４は上面から見た図、図５は側面から見た図、図６は第２の対物レンズ１０２について説明する図である。図４に示すように、移動機構１１５により図１の状態からメインＡＣＴベース１０８が矢印１１８の方向に平行移動し、第２の対物レンズ１０２が立上げミラー１３７の真上、すなわち光学系の光軸上に来た状態となっている。また、図５に示すように、昇降機構２０２によって第１の対物レンズＡＣＴ２０１全体が矢印２０３の方向に移動し、第１の対物レンズ１０１が第２の対物レンズ１０２よりも下方に退避している。
【００２４】
ＣＤ光学系は以下のようになっている。４０１は波長λ３＝７８０ｎｍ帯の赤外レーザを示しており、この赤外レーザ４０１から直線偏光の発散光が出射され、回折格子４０２により主ビームと２つの副ビームに分岐され、例えば、直線偏光のＳ偏光のＸ％が上記波長選択性ハーフミラー１３９で反射して９０度光路を曲げられる。一方、上記Ｓ偏光のＹ％が波長選択性ハーフミラー１３９を透過し、集光レンズ４０３により前方モニタ４０４に集光され、赤外レーザ４０１の光量がモニタされる。ここで、上記Ｘ、Ｙの間にはＸとＹの和が１００％、ただし、Ｘ≧Ｙの関係を持たせている。上記Ｓ偏光はその後、波長選択性偏光ビームスプリッタ１３１を透過し、コリメートレンズ１３４によって平行光に変換され、凹レンズ１３５と凸レンズ１３６のペアからなるビームエキスパンダー素子を透過し、立上げミラー１３７により９０度光路を曲げられる。その後、波長λ３において開口制限機能を持つ波長選択性アパーチャ素子４０５によって光束径が制限され、波長λ３において１次回折機能を持つ波長選択性回折素子４０６により発散光に変換される。上記Ｓ偏光は、波長λ３において１/２波長板機能を持つ波長選択性位相差素子４０７によってＰ偏光に変換され、第２の対物レンズ１０２によって情報記録媒体２０６（この場合、基板厚さ１.２ｍｍのＣＤ媒体）の情報記録面に集光され光スポットが形成される。上記情報記録媒体２０６からの反射戻り光は、第２の対物レンズ１０２を通過し、波長λ３において１/２波長板機能を持つ波長選択性位相差素子４０７によってＳ偏光に変換され、波長λ３において１次回折機能を持つ波長選択性回折素子４０６により平行光に変換される。その後、波長選択性アパーチャ素子４０５を透過し、立上げミラー１３７で反射して９０度光路を曲げられる。波長選択性偏光ビームスプリッタ１３１を透過し、Ｓ偏光のＹ％が波長選択性ハーフミラー１３９を透過した後、検出レンズ１４０によって受光素子（ＯＥＩＣ）１４１の光検出面に集光される。上記受光素子１４１ではＲＦ信号、サーボ信号（ＦＥＳ信号、ＤＰＰ信号等）が検出される。
【００２５】
ＨＤ-ＤＶＤ光学系では青紫色レーザ１２８から出射した波長λ１＝４０５ｎｍ帯の光が第２の対物レンズ１０２により情報記録媒体２０６（この場合、基板厚さ０.６ｍｍのＨＤ-ＤＶＤ媒体）の記録面上に集光されて光スポットが形成される。波長λ１においては波長選択性アパーチャ素子４０５は開口制限機能を持たず、波長選択性回折素子４０６は回折作用を持たないように設計されている。その他についてはすでに説明したＢＤ光学系と共通であり、ここでは説明を省略する。
【００２６】
ここで、第２の対物レンズ１０２について図６を用いて説明する。第２の対物レンズ１０２は波長λ１＝４０５ｎｍ帯の青紫色光に対して開口数が０.６５となるように設計され、波長選択性アパーチャ素子４０５は開口制限機能を持たず、波長選択性回折素子４０６は回折作用を持たないように設計されている。（Ｃ）に示すように、波長λ１の平行光５０１が第２の対物レンズ１０２に入射すると、基板厚さがｔ２（＝約０.６ｍｍ）のＨＤ-ＤＶＤ基板５０２を通過後、収差が最良の状態で光スポット５０３が形成される。（Ｄ）に示すように、波長λ３の平行光５０４は波長選択性アパーチャ素子４０５により開口数が約０.５となるように光束径が制限され、波長選択性回折素子４０６により発散光に変換される。その後、第２の対物レンズ１０２に入射すると基板厚さがt３（＝約１.２ｍｍ）のＣＤ基板５０５を通過後、収差が最良の状態で光スポット５０６が形成される。
【００２７】
メカシャーシ１２０の下にはスピンドルモータ１２１、スピンドルモータ１２１の移動機構１２５、キャリッジケース１１３の（図示しない）送り機構、第１の対物レンズＡＣＴ２０１、第２の対物レンズＡＣＴ２０５、サブＡＣＴベース１０７の昇降機構２０２、メインＡＣＴベース１０８の外側に設けられた移動機構１１５、ビームエキスパンダ素子の（図示しない）駆動機構をそれぞれ制御するための（図示しない）回路基板が設けられている。また、キャリッジケース１１３には青紫色レーザ１２８、赤色レーザ１４２、赤外レーザ４０１の制御回路基板、前方モニタ１３３、前方モニタ４０４、受光素子（ＯＥＩＣ）１４１の検出回路基板が搭載され、これらは（図示しない）ＦＰＣを介して上記回路基板と電気的に接続されている。
【００２８】
図７は第１の対物レンズ１０１、第２の対物レンズ１０２と情報記録媒体２０６の高さ方向の位置関係を示したものである。第１の対物レンズ１０１は開口数が約０．８５であり、これを用いてＢＤ媒体またはＤＶＤ媒体を記録再生する。ＢＤ媒体の場合、情報記録媒体２０６の下面７０１とレンズ最終面７０３との間隔はＷＤ１（約０.５ｍｍ）に設定されている。また、第２の対物レンズ１０２は開口数が約０.６５であり、これを用いてＨＤ-ＤＶＤ媒体またはＣＤ媒体を記録再生する。ＨＤ-ＤＶＤ媒体の場合、情報記録媒体２０６の下面７０１とレンズ最終面７０３との間隔はＷＤ２（約１.５ｍｍ）に設定されている。同図（Ａ）は本実施例を実施しない場合を示している。この場合、上記ＷＤ１は現行のＤＶＤ／ＣＤドライブでの値約１.５ｍｍに比べてかなり小さい。なお、上記ＷＤ２は現行のＤＶＤ／ＣＤドライブで使用されている値と同等レベルである。このため、現行のＤＶＤ／ＣＤドライブに使われているローディング機構の精度では情報記録媒体２０６をスピンドルモータ１２１に装着する過程で情報記録媒体２０６が図の点線のようにＺ（上下）方向に振れると、情報記録媒体２０６の下面７０２が第１の対物レンズ１０１のレンズ最終面７０３と接触、衝突し、レンズ最終面７０３あるいは情報記録媒体２０６が傷つく、第１の対物レンズ１０１を支持する支持バネが変形して第１の対物レンズ１０１に傾きが発生するといった懸念が生じる。これを回避するためにはローディング機構の精度を現行のＤＶＤ／ＣＤドライブよりも高精度にしなければならず、ドライブのコストＵＰにつながる。また、情報記録媒体２０６として最も面振れ量の大きい（約±０.５ｍｍ）ＣＤ媒体を記録再生する場合、使用ていない第１の対物レンズ１０１のレンズ最終面７０３が情報記録媒体２０６の下面７０２と接触、衝突する懸念がある。
【００２９】
これに対し、同図（Ｂ）、（Ｃ）は本実施例を実施する場合を示している。同図（Ｂ）に示すように、サブＡＣＴベース１０７に設けた昇降機構２０２により第１の対物レンズＡＣＴ２０１全体が矢印２０３のＺ方向に平行移動しており、ひいては第１の対物レンズ１０１を第２の対物レンズ１０２より下方に位置させている。その結果、現行のＤＶＤ／ＣＤドライブと同等の精度のローディング機構を使用し、情報記録媒体２０６をスピンドルモータ１２１に装着する過程で情報記録媒体２０６が同図（Ａ）の点線で示すようにＺ方向に振れたとしても、情報記録媒体２０６の下面７０２が第１の対物レンズ１０１のレンズ最終面７０３と接触、衝突する事態は回避される。また、情報記録媒体２０６として最も面振れ量の大きい（約±０.５ｍｍ）ＣＤ媒体を記録再生する場合、使用しない第１の対物レンズ１０１のレンズ最終面７０３と情報記録媒体２０６の下面７０１との間隔がＷＤ２＋α（α＞０）に設定されているため、レンズ最終面７０３とＣＤ媒体が接触、衝突する懸念が回避されるという効果が生じる。情報記録媒体２０６としてＢＤ媒体あるいはＤＶＤ媒体を記録再生する場合には、同図（Ｃ）に示すように昇降機構２０２により第１の対物レンズＡＣＴ２０１全体を矢印２０４のＺ方向に平行移動させ、レンズ最終面７０３と情報記録媒体２０６の下面７０１との間隔をＷＤ１に設定する。あるいは昇降機構２０２によりＷＤ１付近までもっていき、第１の対物レンズＡＣＴ２０１の（図示しない）コイルアセンブリに通電して第１のレンズホルダ１０３を微小変位させることにより最終的に間隔がＷＤ１となるように設定することもできる。
【００３０】
また、同じ波長λ１＝４０５ｎｍで開口数が０.８５（基板厚さ０.１ｍｍのＢＤ媒体対応）、０.６５（基板厚さ０.６ｍｍのＨＤ-ＤＶＤ媒体対応）の両方に対応する単レンズは現状存在しない。そのため、本実施例では、開口数が０.８５である第１の対物レンズ１０１と開口数が０.６５である第２の対物レンズ１０２を設けるともに、第１の対物レンズ１０１に比べて作動距離が約２倍以上大きい第２の対物レンズ１０２を用い、ＣＤ媒体の記録再生に対応させるようにした。その結果、ＢＤ媒体とＨＤ-ＤＶＤ媒体の両方に対応しながら、面振れ量が最も大きいＣＤ媒体における作動距離を確保することができる。
【００３１】
図８は情報記録媒体２０６の最内周半径Ｒ１、最外周半径Ｒ２において、光ヘッドの走行軸８０２（スピンドルモータ１２１の回転中心８０１を通り、同図のＹ方向に平行な直線）と対物レンズ１０１（第２の対物レンズ１０２）の位置関係を示している。光ヘッドをメカシャーシ１２０に組込み光ディスクドライブの組立てを行う場合、スピンドルモータ１２１の取付誤差、ガイドバー１１９の取付誤差に伴い、同図（Ａ）に示すように光ヘッドの走行軸８０２と対物レンズ１０１（第２の対物レンズ１０２）の中心８０３の間に情報記録媒体２０６の接線方向（同図のＸ方向）についてオフセットΔＸが発生する。スピンドルモータ１２１の回転中心８０１と対物レンズ１０１（第２の対物レンズ１０２）の中心８０３を結ぶ直線と、光ヘッドの走行軸８０２のなす角度が最内周半径Ｒ１位置（角度θ１）と最外周半径Ｒ２位置（角度θ２）で異なる状態になっている。この状態では例えば、Ｒ１とＲ２の中間位置で回折格子１２９の回転調整を行うことによって、情報記録媒体２０６のトラックに対する主ビームと２つの副ビームの位置関係を適正（主ビームと２つの副ビームのトラック方向間隔が情報記録媒体２０６のトラックピッチの半分）に調整したとしても、対物レンズ１０１（第２の対物レンズ１０２）に対するトラックの接線方向の角度が最内周半径Ｒ１位置と最外周半径Ｒ２位置においてＲ１とＲ２の中間位置とは異なるように見える。すなわち、主ビームと２つの副ビームのトラック方向の間隔が回折格子１２９の回転調整時からずれることになり、トラッキング制御用のＤＰＰ信号に振幅劣化等が生じてトラッキング追従精度が不安定になる。
【００３２】
そこで、同図（Ｂ）に示すように本実施例では、モータベース１２２に接続された移動機構１２５によってスピンドルモータ１２１を情報記録媒体２０６の接線方向（同図のＸ方向）に位置調整可能とした。スピンドルモータ１２１を（Ａ）の状態に相当する点線部８０４の位置から実線８０５の位置まで移動させ、回転中心を８０１から８０６まで（Ａ）で発生していたオフセットΔＸの分だけ位置調整することができる。その結果、スピンドルモータ１２１の回転中心８０６と対物レンズ１０１（第２の対物レンズ１０２）の中心８０３を結ぶ直線と、光ヘッドの走行軸８０２が同軸上に来ることになり、第１の対物レンズ１０１（第２の対物レンズ１０２）に対するトラックの接線方向の角度は最内周半径Ｒ１位置と最外周半径Ｒ２位置で同じになる。すなわち、最内周半径Ｒ１位置と最外周半径Ｒ２位置で主ビームと２つの副ビームのトラック方向の間隔が同じになる。その結果、トラッキング制御用のＤＰＰ信号の品質が安定し、第１の対物レンズ１０１（第２の対物レンズ１０２）のトラッキング追従精度を安定させることができる。
【００３３】
また、本実施例では、メインＡＣＴベース１０８の外側に設けた移動機構１１５によって第１の対物レンズＡＣＴ２０１および第２の対物レンズＡＣＴ２０５が情報記録媒体２０６の接線方向に平行移動可能で、第１の対物レンズ１０１と第２の対物レンズ１０２の切り替えができる。この移動機構１１５を併用して微小変位させることにより、さらに精度の高い調整を行うことができる。
【実施例２】
【００３４】
実施例２について図９から図１３を用いて説明する。図９、図１０は第１の対物レンズ１０１を用いてＢＤ(Blu-ray DISC)またはＤＶＤの記録再生を行う場合を示している。図９は上面図を示し、図１０は側面図を示す。本実施例では実施例１で設けていたメインＡＣＴベース１０８の移動機構１１５はなく、第１の対物レンズＡＣＴ２０１および第２の対物レンズＡＣＴ２０５はＸ方向に移動しない。スピンドルモータ１２１が移動機構１２５によって矢印１２６あるいは矢印１２７のＸ方向に平行移動可能なこと、第１の対物レンズＡＣＴ２０１が昇降機構２０２によって全体として矢印２０３、矢印２０４のＺ方向へ平行移動可能なことは実施例１と共通である。
【００３５】
本実施例の光学系部分について説明する。ＢＤ光学系は以下のようになっている。１２８は波長λ１＝４０５ｎｍ帯の青紫色レーザを示しており、この青紫色レーザ１２８から直線偏光の発散光が出射され、回折格子１２９により主ビームと２つの副ビームに分岐されて合成プリズム１３０を透過する。上記直線偏光のＳ偏光成分は波長選択性偏光ビームスプリッタ１３１により反射され、９０度光路を曲げられる。一方、上記直線偏光のＰ偏光成分は波長選択性偏光ビームスプリッタ１３１を透過し、集光レンズ１３２により前方モニタ１３３に集光され、青紫色レーザ１２８の光量が検出される。上記Ｓ偏光成分は、その後、コリメートレンズ１３４によって平行光に変換され、凹レンズ１３５と凸レンズ１３６のペアからなるビームエキスパンダー素子を透過し、立上げミラー９０１により９０度光路を曲げられる。広帯域１/４波長板１３８を透過して円偏光に変換され、第１の対物レンズ１０１によって情報記録媒体２０６（この場合、基板厚さ０.１ｍｍのＢＤ媒体）の記録面上に集光されて光スポットが形成される。情報記録媒体２０６からの反射戻り光は、第１の対物レンズ１０１を通過し、広帯域１/４波長板１３８によりＰ偏光に変換され、立上げミラー９０１で反射して９０度光路を曲げられる。凸レンズ１３６、凹レンズ１３５、コリメートレンズ１３４、波長選択性偏光ビームスプリッタ１３１を透過した後、検出レンズ９０２によって受光素子（ＯＥＩＣ）１４１の光検出面上に集光される。
【００３６】
ＤＶＤ光学系は以下のようになっている。１４２は波長λ２＝６６０ｎｍ帯の赤色レーザを示しており、この赤色レーザ１４２から直線偏光の発散光が出射され、回折格子１４３により主ビームと２つの副ビームに分岐されて合成プリズム１３０で反射する。上記直線偏光のＳ偏光は波長選択性偏光ビームスプリッタ１３１によって反射し、９０度光路を曲げられる。一方、上記直線偏光のＰ偏光は波長選択性偏光ビームスプリッタ１３１を透過し、集光レンズ１３２によって前方モニタ１３３に集光され、赤色レーザ１４２の光量が検出される。上記Ｓ偏光成分は、その後、コリメートレンズ１３４によって平行光に変換され、凹レンズ１３５と凸レンズ１３６のペアからなるビームエキスパンダー素子を透過し、立上げミラー９０１により９０度光路を曲げられる。広帯域１/４波長板１３８を透過して円偏光に変換され、第１の対物レンズ１０１によって情報記録媒体２０６（この場合、基板厚さ０.６ｍｍのＤＶＤ媒体）の情報記録面上に集光されて光スポットが形成される。情報記録媒体２０６からの反射戻り光は、第１の対物レンズ１０１を通過し、広帯域１/４波長板１３８によりＰ偏光に変換され、立上げミラー９０１で反射して９０度光路を曲げられる。凸レンズ１３６、凹レンズ１３５、コリメートレンズ１３４、波長選択性偏光ビームスプリッタ１３１を透過した後、検出レンズ９０２によって受光素子（ＯＥＩＣ）１４１の光検出面上に集光される。上記受光素子１４１ではＲＦ信号、サーボ信号（ＦＥＳ信号、ＤＰＰ信号等）が検出される。なお、上記ビームエキスパンダー素子を、ＤＶＤ媒体、特に２層式ＤＶＤ媒体を記録再生する際に機能させることも可能である。
【００３７】
図１１から図１３は第２の対物レンズ１０２を用いてＣＤまたはＨＤ-ＤＶＤの記録再生を行う場合を示している。図１１、図１２は上面図を示し、図１３は側面図を示す。図１１に示すように、モータベース１２２の外側に設けられた移動機構１２５によって、スピンドルモータ１２１は図９で示したＢＤまたはＤＶＤの記録再生を行う場合から矢印１２６に示すＸ方向、すなわち情報記録媒体２０６の接線方向に平行移動し、スピンドルモータ１２１の回転中心と第２の対物レンズ１０２の中心を結ぶ直線がキャリッジケース１１３の送り方向（図のＹ方向）と平行な状態となっている。また、図１３に示すように、昇降機構２０２によって第１の対物レンズＡＣＴ２０１全体が矢印２０３の方向に移動し、第１の対物レンズ１０１が第２の対物レンズ１０２よりも下方に退避した状態になっている。
【００３８】
ＣＤ光学系は以下のようになっている。４０１は波長λ３＝７８０ｎｍ帯の赤外レーザを示しており、この赤外レーザ４０１から直線偏光の発散光が出射され、回折格子４０２により主ビームと２つの副ビームに分岐され、合成プリズム１１０１で反射し、直線偏光のＳ偏光が偏光ビームスプリッタ１１０２で反射し９０度光路を曲げられる。一方、上記直線偏光のＰ偏光が偏光ビームスプリッタ１１０２を透過し、集光レンズ１１０３により前方モニタ１１０４に集光され、赤外レーザ４０１の光量がモニタされる。上記Ｓ偏光はその後、立上げミラー１１０５で反射し９０度光路を曲げられた後、コリメートレンズ１１０６によって平行光に変換される。その後、波長選択性アパーチャ素子４０５によって光束径が制限され、波長選択性回折素子４０６により発散光に変換される。上記Ｓ偏光は、波長λ３において１/４波長板機能を持つ広帯域１/４波長板１１０７によって円偏光に変換され、第２の対物レンズ１０２によって情報記録媒体２０６（この場合、基板厚さ１.２ｍｍのＣＤ媒体）の情報記録面に集光され光スポットが形成される。上記情報記録媒体２０６からの反射戻り光は、第２の対物レンズ１０２を通過し、広帯域１/４波長板１１０７によってＰ偏光に変換され、波長選択性回折素子４０６により平行光に変換される。その後、波長選択性アパーチャ素子４０５、コリメートレンズ１１０６を透過し、立上げミラー１１０５で反射して９０度光路を曲げられる。偏光ビームスプリッタ１１０２を透過後、検出レンズ１１０８によって受光素子（ＯＥＩＣ）１１０９の光検出面に集光される。上記受光素子１１０９ではＲＦ信号、サーボ信号（ＦＥＳ信号、ＤＰＰ信号等）が検出される。
【００３９】
ＨＤ-ＤＶＤ光学系は以下のようになっている。発振波長λ１＝４０５ｎｍ帯の青紫色レーザ１１１０から出射された直線偏光の発散光は、回折格子１１１１によってメインビームと２つのサブビームに分岐され、合成プリズム１１０１を透過し、上記直線偏光のＳ偏光が偏光ビームスプリッタ１１０２によって反射し、９０度光路を曲げられる。一方、上記直線偏光のＰ偏光が偏光ビームスプリッタ１１０２を透過し、集光レンズ１１０３によって前方モニタ１１０４に集光され、青紫色レーザ１１１０の光量が検出される。上記Ｓ偏光は、その後、立上げミラー１１０５で反射し９０度光路を曲げられた後、コリメートレンズ１１０６によって平行光に変換される。波長選択性アパーチャ素子４０５、波長選択性回折素子４０６をそのまま作用を受けずに透過する。広帯域１/４波長板１１０７の１/４波長板機能によって円偏光に変換され、第２の対物レンズ１０２によって情報記録媒体２０６（この場合、基板厚さ０.６ｍｍのＨＤ-ＤＶＤ媒体）の情報記録面に集光されて光スポットが形成される。情報記録媒体２０６からの反射戻り光は、第２の対物レンズ１０２を通過し、広帯域１/４波長板１１０７の１/４波長板機能によってＰ偏光に変換され、波長選択性回折素子４０６、波長選択性アパーチャ素子４０５、コリメートレンズ１１０６を透過し、立上げミラー１１０５で反射して９０度光路を曲げられる。偏光ビームスプリッタ１１０２を透過後、検出レンズ１１０８によって受光素子（ＯＥＩＣ）１１０９の光検出面に集光される。上記受光素子１１０９ではＲＦ信号、サーボ信号（ＦＥＳ信号、ＤＰＰ信号等）が検出される。
【００４０】
メカシャーシ１２０の下にはスピンドルモータ１２１、スピンドルモータ１２１の移動機構１２５、キャリッジケース１１１２の（図示しない）送り機構、第１の対物レンズＡＣＴ２０１、第２の対物レンズＡＣＴ２０５、サブＡＣＴベース１０７の昇降機構２０２、ビームエキスパンダー素子の（図示しない）駆動機構をそれぞれ制御するための（図示しない）回路基板が設けられている。また、キャリッジケース１１１２には青紫色レーザ１２８、赤色レーザ１４２、青紫色レーザ１１１０、赤外レーザ４０１の制御回路基板、前方モニタ１３３、前方モニタ１１０４、受光素子（ＯＥＩＣ）１４１、受光素子（ＯＥＩＣ）１１０９の検出回路基板が搭載され、これらは（図示しない）ＦＰＣを介して上記回路基板と電気的に接続されている。
【実施例３】
【００４１】
上記実施例１、２では光ヘッドおよび光情報再生装置または光情報記録再生装置についてハードの観点から実施例を説明してきたが、ここではシステム構成の実施例について図１４を用いて説明する。図１４は情報の記録および再生を行う情報記録再生装置１４０１の概略ブロック図を示している。１４０２は実施例１、実施例２で説明した光ヘッドを示しており、この光ヘッド１４０２から検出された信号は信号処理回路内のサーボ信号生成回路１４０３および情報信号再生回路１４０４に送られる。サーボ信号生成回路１４０３では、光ヘッド１４０２より検出された信号から光ディスク媒体１４０５に適したフォーカス制御信号、トラッキング制御信号、球面収差検出信号が生成され、これらをもとにＡＣＴ駆動回路１４０６を経て光ヘッド１４０２内の（図示しない）ＡＣＴを駆動し、対物レンズ１４０７の位置制御を行う。また、上記サーボ信号生成回路１４０３では上記光ヘッド１４０２より球面収差検出信号が生成され、この信号をもとに球面収差補正駆動回路１４０８を経て光ヘッド１４０２内の（図示しない）ビームエキスパンダ素子の補正レンズを駆動する。また、情報信号再生回路１４０４では光ヘッド１４０２から検出された信号から光ディスク１４０５に記録された情報信号が再生され、その情報信号は情報信号出力端子１４０９へ出力される。なお、サーボ信号生成回路１４０３および、情報信号再生回路１４０４で得られた信号の一部はシステム制御回路１４１０に送られる。システム制御回路１４１０からはレーザ駆動用記録信号が送られ、レーザ光源点灯回路１４１１を駆動させて発光量の制御を行い、光ヘッド１４０２を介して、光ディスク１４０５に記録信号を記録する。なお、このシステム制御回路１４１０にはアクセス制御回路１４１２とスピンドルモータ駆動回路１４１３が接続されており、それぞれ、光ヘッド１４０２の半径方向位置制御や光ディスク１４０５のスピンドルモータ１４１４の回転制御が行われる。なお、パーソナルコンピュータあるいはＡＶ用レコーダ等によりユーザが制御する場合には、キーボード、タッチパネル、ジョグダイアル等のユーザ入力装置１４１８からユーザがユーザ入力処理回路１４１５に指示を与え、上記情報記録再生装置１４０１の制御を行う。その際、情報記録再生装置１４０１の処理状態等は表示処理回路１４１６によって行われ、液晶パネル、ＣＲＴ等の表示装置１４１７に表示される。
【００４２】
以上の実施例によれば、以下１）〜４）に示す利点があると言える。これらの利点によりＢＤ規格とＨＤ-ＤＶＤ規格の両方に対応し、かつＤＶＤ媒体およびＣＤ媒体にも対応可能なマルチ型光ディスク装置を提供することが可能となる。
【００４３】
１）情報記録媒体の接線方向にスピンドルモータが平行移動可能な移動機構を設けたので、ドライブの組立時に初期的な誤差があったとしても情報記録媒体の回転中心と対物レンズの中心を結ぶ直線と、光ヘッドの走行軸とのずれが小さくなるように位置調整することができる。その結果、情報記録媒体のトラックに対する主ビームと２つの副ビームの位置関係が情報記録媒体の半径方向位置によって変動することが少なくなり、トラッキング制御用のＤＰＰ信号、ひいてはトラッキング追従精度が安定する。
【００４４】
２）ＢＤ用、ＨＤ-ＤＶＤ用の対物レンズをそれぞれ情報記録媒体の接線方向に配置するとともに対物レンズＡＣＴ全体を情報記録媒体の接線方向に平行移動可能な移動機構を設けたので、ＢＤ媒体とＨＤ-ＤＶＤ媒体に対して使用する対物レンズを切替選択する機能を持たせながら、この移動機構を微小変位させることによって上記位置調整の精度をより高くすることができる。
【００４５】
３）対物レンズＡＣＴ全体を上下方向に平行移動可能な昇降機構を設けたので、現行のＤＶＤ／ＣＤドライブと同等の精度のローディング機構を使用した場合でも情報記録媒体が対物レンズと接触、衝突する危険性が回避される。その結果、現行のＤＶＤ／ＣＤドライブのローディング機構と設計を共通化することができ、光ディスクドライブのコスト上昇を抑えることができる。
【００４６】
４）波長４０５ｎｍ帯域において開口数が０.８５の第１の対物レンズ、開口数が０.６５の第２の対物レンズを設け、第１の対物レンズに比べて作動距離が約２倍以上大きい第２の対物レンズを用いてＣＤ媒体の記録再生に対応させるようにした。その結果、ＢＤ媒体とＨＤ-ＤＶＤ媒体の両方に対応しながら、面振れ量が最も大きいＣＤ媒体における作動距離を確保できる。
【図面の簡単な説明】
【００４７】
【図１】実施例１において、ＢＤまたはＤＶＤの記録再生を行う場合の光情報再生装置または光情報記録再生装置を示す上面図である。
【図２】実施例１において、図１の側面図である。
【図３】実施例１において、第１の対物レンズ１０１について説明する図である。
【図４】実施例１において、ＣＤまたはＨＤ-ＤＶＤの記録再生を行う場合の光情報再生装置または光情報記録再生装置を示す上面図である。
【図５】実施例１において、図４の側面図である。
【図６】実施例１において、第２の対物レンズ１０２について説明する図である
【図７】実施例１において、第１の対物レンズ１０１、第２の対物レンズ１０２と情報記録媒体２０６の高さ方向の位置関係を示した図である。
【図８】実施例１において、光ヘッドの走行軸８０２と第１の対物レンズ１０１（第２の対物レンズ１０２）の位置関係を示す図である。
【図９】実施例２において、ＢＤまたはＤＶＤの記録再生を行う場合の光情報再生装置または光情報記録再生装置を示す上面図である。
【図１０】実施例２において、図９の側面図である。
【図１１】実施例２において、ＣＤまたはＨＤ-ＤＶＤの記録再生を行う場合の光情報再生装置または光情報記録再生装置を示す上面図である。
【図１２】実施例２において、ＣＤまたはＨＤ-ＤＶＤの記録再生を行う場合の光情報再生装置または光情報記録再生装置を示す上面図である。
【図１３】実施例２において、図１１、図１２の側面図である。
【図１４】実施例３において、光情報再生装置または光情報記録再生装置のシステム構成を示す図である。
【符号の説明】
【００４８】
１０１・・・第１の対物レンズ、２０１・・・第１の対物レンズＡＣＴ、２０２・・・サブＡＣＴベース１０７の昇降機構、２０６・・・情報記録媒体、１０２・・・第２の対物レンズ、２０５・・・第２の対物レンズＡＣＴ、１１３・・・キャリッジケース、１１５・・・メインＡＣＴベース１０８の移動機構、１２１・・・スピンドルモータ、１２５・・・モータベース１２２の移動機構、１２８・・・波長λ１＝４０５ｎｍ帯の青紫色レーザ、１４２・・・波長λ２＝６６０ｎｍ帯の赤色レーザ、４０１・・・波長λ３＝７８０ｎｍ帯の赤外レーザ、３０３・・・ＢＤ基板、３０６・・・ＤＶＤ基板、５０２・・・ＨＤ-ＤＶＤ基板、５０５・・・ＣＤ基板、８０２・・・光ヘッドの走行軸
【図１】
2006196053.tif 000003
【図２】
2006196053.tif 000004
【図３】
2006196053.tif 000005
【図４】
2006196053.tif 000006
【図５】
2006196053.tif 000007
【図６】
2006196053.tif 000008
【図７】
2006196053.tif 000009
【図８】
2006196053.tif 000010
【図９】
2006196053.tif 000011
【図１０】
2006196053.tif 000012
【図１１】
2006196053.tif 000013
【図１２】
2006196053.tif 000014
【図１３】
2006196053.tif 000015
【図１４】
2006196053.tif 000016